(57)【要約】【課題】  組み立て作業性を改善できる構成を備えた遊技機を提供する。【解決手段】  図柄表示部材が表面に設けられて回転可能な複数のリール部材Ｒ１，Ｒ２，Ｒ３を備え、該リール部材Ｒ１，Ｒ２，Ｒ３の停止位置の図柄の組み合せを選択可能な構成を備えた遊技機において、上記リール部材Ｒ１，Ｒ２，Ｒ３を支持する支持部材２１２は、遊技機本体内に装着されるケーシングの前面および後面を構成するフレーム材２００Ａ、２００Ｂに組み込まれ、上記フレーム材２００Ａ、２００Ｂには、上記支持部材２１２のガイド部２１０，２１１が備えられ、該ガイド部２１０，２１１に沿って上記支持部材２１２を挿入することで該支持部材２１２に支持されているリール部材Ｒ１，Ｒ２，Ｒ３同士の位置不揃いがない状態で所定位置に位置決めした状態で組み込める構成であることを特徴とする。【選択図】    図３
2005245630.tif 000002
【特許請求の範囲】
【請求項１】
図柄表示部材が表面に設けられて回転可能な複数のリール部材を備え、該リール部材の停止位置の図柄の組み合せを選択可能な構成を備えた遊技機において、
上記リール部材を支持する支持部材は、遊技機本体内に装着されるケーシングの前面および後面を構成するフレーム材に組み込まれ、
上記フレーム材には、上記支持部材のガイド部が備えられ、該ガイド部に沿って上記支持部材を挿入することで該支持部材に支持されているリール部材を所定位置に位置決めした状態で組み込める構成であることを特徴とする遊技機。
【請求項２】
請求項１記載の遊技機において、
上記ガイド部材は、上記フレーム材の一部に形成されて上記支持部材が嵌合可能な係合部で構成されていることを特徴とする遊技機。
【請求項３】
請求項１または２記載の遊技機において、
上記支持部材は、上記ガイド部材としての係合部に対して摺動可能に設けられることを特徴とする遊技機。
【請求項４】
請求項１乃至３のうちの一つに記載の遊技機において、
上記係合部は、上記支持部材を遊技機本体の前面と直交する方向でガイドできる構成を備えていることを特徴とする遊技機。
【請求項５】
請求項１乃至４のうちの一つに記載の遊戯記において、
上記リール部材を収納可能な空間を有するケーシングは、該リール部材の収容空間をほぼ二分する分割構造体で構成され、上記リール部材が空間内に収納された後に嵌合されて一体化される構成であることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されている回転リール機構に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、種々の図柄を表示したリールテープなどを外周面に貼り付けられたドラムが用いられ、ドラムはステッピングモータなどのデジタル制御が可能な駆動源によって駆動されるようになっている。
複数のリールが回転自在に収容されるリールユニットは、リールが挿入される側を開放した箱型のフレームを備え、箱型遊技機の前面、つまり、遊技者に対面する側から遊技機のない部に向けて挿入されることにより遊技機に組み込まれて構成されることが多い（例えば、特許文献１）。
一方、リールユニットの構成としては、リールが挿入される側の面を開放した状態で上面および下面さらには各側面に位置する壁板を締結して構成した箱型のフレームと、該フレーム内で各リールの収容空間を仕切ると共にリールおよびこれの駆動モータなどを支持する支持板とを備え、各板材は所定位置に位置決めされて締結されることにより組み立てられる構成が提案されている（例えば、特許文献２）。
【０００４】
【特許文献１】特開２００３−３１０８３２号公報（段落「００８１」欄）
【特許文献２】特開２００３−１４４６０４号公報（段落「００３１」欄）
【発明の開示】
【発明が解決しようとする課題】
【０００５】
しかし、上記特許文献に開示されているリールユニット、特に組み立てのための構成においては次のような問題がある。
第１に、各板材を締結するための締結部の数が多くなり、組み立て作業が繁雑となる。  
第２に、各リールを取り付けるために用いられる支持板を締結する際には、締結位置の加工誤差が存在するとネジの回転により生じる摩擦トルクによって支持用板材の配置位置がずれやすくなり、各リールの表示位置が微妙に異なっている印象を遊技者に与える虞がある。  
第３に、リールの収容空間を仕切る支持板の挿入およびリールの挿入がそれぞれ箱型遊技機の前面から遊技機内に向けた方向で行われることから、支持板やリールを挿入する際に奥側での状態が確認しずらい。このため、奥側での位置決め作業が困難となる。
【０００６】
本発明は、上記従来の遊技機における問題、特にリールユニットの組み立てに関する問題に鑑み、組み立て作業性を改善できる構成を備えた遊技機を提供することにある。
【課題を解決するための手段】
【０００７】
請求項１記載の発明は、図柄表示部材が表面に設けられて回転可能な複数のリール部材を備え、該リール部材の停止位置の図柄の組み合せを選択可能な構成を備えた遊技機において、上記リール部材を支持する支持部材は、遊技機本体内に装着されるケーシングの前面および後面を構成するフレーム材２００Ａ、２００Ｂに組み込まれ、上記フレーム材には、上記支持部材のガイド部が備えられ、該ガイド部に沿って上記支持部材を挿入することで該支持部材に支持されているリール部材を所定位置に位置決めした状態で組み込める構成であることを特徴としている。
【０００８】
請求項２記載の発明は、請求項１記載の遊技機において、上記ガイド部材は、上記フレーム材の一部に形成されて上記支持部材が嵌合可能な係合部で構成されていることを特徴としている。
【０００９】
請求項３記載の発明は、請求項１または２記載の遊技機において、上記支持部材は、上記ガイド部材としての係合部に対して摺動可能に設けられることを特徴としている。
【００１０】
請求項４記載の発明は、請求項１乃至３のうちの一つに記載の遊技機において、上記係合部は、上記支持部材を遊技機本体の前面と直交する方向でガイドできる構成を備えていることを特徴としている。
【００１１】
請求項５記載の発明は、請求項１乃至４のうちの一つに記載の遊戯記において、上記リール部材を収納可能な空間を有するケーシングは、該リール部材の収容空間をほぼ二分する分割構造体で構成され、上記リール部材が空間内に収納された後に嵌合されて一体化される構成であることを特徴としている。
【発明の効果】
【００１２】
請求項１記載の発明によれば、ケーシングを構成するフレーム材自体が支持部材の位置決めガイドとして用いられるので、挿入される支持部材の状態確認を継続する必要がなく、しかも、挿入された時点で位置決めが完了することにより各リール部材毎の設置位置をガイド部材により不揃いなく整合させられることで、リールの取り付け作業性を向上させることが可能となる。
【００１３】
請求項２および３記載の発明によれば、ガイド部材が支持部材を嵌合させて摺動させることができる構成であるので、締結の場合と違って締結位置決めなどを要することがなく、組み込み作業を容易化することが可能となる。
【００１４】
請求項４記載の発明によれば、係合部が支持部材を遊技機本体の前面と直交する方向、特に、ケーシングの上方から挿入することができるようにガイドする構成である場合には、遊技機本体の前面から装着する場合に比べて前面でのスペースを準備する必要がなく、しかも、前面から挿入した場合のように奥側の位置確認などを不要にすることができるので、組み込み作業性を向上させることが可能となる。
【００１５】
請求項５記載の発明によれば、ケーシングがリール部材の収容空間を二分する分割構造体であり、リール部材の収容後に勘合されて一体化することができるので、板材同士を締結するよう場合と違って、一体化する際の手間を省くことができ、作業性を向上させることが可能となる。
【発明を実施するための最良の形態】
【００１６】
以下、図に示す実施例により本発明の実施のための最良の形態について説明する。
【実施例】
【００１７】
本発明の対象である遊技機として、スロットマシンを対象としてその構成の概略を以下に説明する。
【００１８】
図１は本スロットマシン１００の外部構造を表した平面図、図２は本スロットマシン１００の内部構造を表した平面図である。
【００１９】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００２０】
フロントドア１０１は、機械的に強固な硬質プラスチックで成形された上部パネル部１０３と中部パネル部１０４及び下部パネル部１０５とを備えて構成されている。
【００２１】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２２】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２３】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２４】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２５】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２６】
次に、図２を参照して、フロントドア１０１の裏面構造と、筐体１０２の内部構造を概説する。なお、図２はフロントドア１０１を開錠して筐体１０２から開いた状態を表している。
【００２７】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２８】
更に演出表示装置１０３ｄの裏面側には、電気回路基板で形成されたサブ制御基板３００が取り付けられている。
【００２９】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００３０】
演出表示装置１０３ｄとサブ制御基板３００の下方には、上述の透過窓ＷＤと中部パネル部１０４のパネル面とが形成された略長方形の枠体１０４ｄが取り付けられている。
【００３１】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００３２】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３３】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３４】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３５】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３６】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３７】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３８】
ただし、サブ制御基板３００と主制御基板７００は、夫々硬質プラスチックの保護ケース内に個別に収納されたユニット構造となっている。
【００３９】
以上のような構成を備えたスロットマシンにおいて、回動リールＲ１，Ｒ２，Ｒ３を纏めた回動リール装置２００は、図３および図４に示す原理構造に基づき構成されている。
図３は、第１実施例を示す模式的な斜視図であり、同図において、符号２００Ａは、ケーシングの一部をなす前面フレームであり、２００Ｂはケーシングの他の部分をなす後面フレームである。なお、後述する構成では、回動リールＲ２を対象として説明する。
前面フレーム２００Ａと後面フレーム２００Ｂとは、回動リールの収容空間を二分できる分割構造体であり、本実施例では、側面視において向きが反転したＬ字状をなす形状とされ、前面および後面の各フレーム２００Ａ、２００Ｂは、図示しないが、対向する縁部が互いに嵌合することにより結合することができる構成とされている。図３に示す構成においては、後面フレーム２００Ｂが前面フレーム２００Ａの上方から被せる状態で一体化されるようになっている。
【００４０】
一方、ケーシングを構成する部材の一つである前面フレーム２００Ａには、回動リールＲ１，Ｒ２，Ｒ３が露出可能な開口２００Ａ１が形成され、その開口２００Ａ１近傍の内面には遊技機の前面と直行する方向に相当する上下方向にガイド部材２１０，２１１が設けられている。
【００４１】
ガイド部材２１０，２１１は、前面フレーム２００Ａにおける開口近傍に位置する切り起こし部で構成されており、切り起こされた立ち上がり片２１０Ａ、２１１Ａの高さが後述する回動リールの支持板２１２の挿入代とされている。
ガイド部材２１０，２１１には、切り起こされた立ち上がり片２１０Ａ、２１１Ａ間を跨る平面部２１０Ｂ，２１１Ｂにおける同一位置に回動リールの支持板２１２を上方から挿入できるスリット２１０Ｃ、２１１Ｃが形成されており、スリット２１０Ｃ、２１１Ｃは、支持板２１２が挿入される際のガイド部および位置決め部として用いられるようになっている。
つまり、支持板２１２をスリット２１０Ｃ、２１１Ｃの開口側から挿入した場合には、支持板２１２の摺動方向をガイドするとともに、摺動が完了した位置を規定するようになっている。
【００４２】
上記支持板２１２は、回動リールＲ２が組み込まれるリールアッセンブリーの基部をなす平板部材であり、駆動モータＭおよびこれの出力軸に一体化されている回動リール（図示されず）を支持してケーシング内に組み込まれるようになっている。
ケーシング内への組み込みのために支持板２１２には、前面フレーム２００Ａ側のガイド部材２１０，２１１と対向する位置にアングル片部２１２Ａ、２１２Ｂがそれぞれ設けられている。
アングル片部２１２Ａ、２１２Ｂは、折り曲げ位置がガイド部材２１０，２１１のスリット２１０Ｃ、２１１Ｃ内に入り込むことにより支持板２１２の水平方向での位置決めが行えるようになっており、さらに、ガイド部材２１０，２１１の平面部２１０Ｂ、２１１Ｂに対して遊技機前面側から当接できることにより遊技機の前後方向での位置決めができるようになっている。さらに加えて、アングル片部２１２Ａ、２１２Ｂがスリット２１０Ｃ、２１１Ｃ内に挿入されてスリット下縁内面に突き当たることで遊技機の上下方向での位置決めができるようにもなっている。
【００４３】
一方、後面フレーム２００Ｂの内側には、支持板２１２の端部が挿入可能なレール部で構成された摺動ガイド部２１３が設けられている。
摺動ガイド部２１３は、前面フレーム２００Ａ側のガイド部２１０，２１１に有するスリット２１０Ｃ、２１１Ｃの形成方向と平行させて後面フレーム２００Ｂにおける下縁から天板内面までの間に延長して設けられている。
従って、支持板２１２は、摺動ガイド部２１３の下縁から差し込まれて上面が後面フレーム２００Ｂの天板内面に突き当たることで上面位置が位置決めされる。
【００４４】
本実施例は以上のような構成であるから、回動リール装置２００を組み立てる際には、分割構造体である前面フレーム２００Ａのガイド部材２１０，２１１に対して支持板２１２が取り付けられる。
支持板２１２は、ガイド部材２１０，２１１に有するスリット２１０Ｃ、２１１Ｃの開口側から差し込まれるとスリット２１０Ｃ、２１１Ｃの形成方向に沿ってガイドされ、スリット２１０Ｃ、２１１Ｃ内への差し込みが完了すると、アングル片２１２Ａ、２１２Ｂがガイド部材２１０，２１１の平面部２１０Ｂ、２１１Ｂに対向当接した状態で上下方向および水平方向での位置が規定される。
【００４５】
一方、支持板２１２が前面フレーム２００Ａのガイド部２１０，２１１に装着されると、支持板２１２が片持ち梁状に支持されているので、これ以外に支持板２１２を持ち支えておく必要がない。
図３に示す構成では一つの支持板２１２を対象として表示してあるが、実際には、回動リールＲ１，Ｒ２，Ｒ３のすべてが同じように組み込まれる。
【００４６】
各回動リールＲ１，Ｒ２，Ｒ３を対象とした支持板２１２が前面フレーム２００Ａに組み込まれると、後面フレーム２００Ａが前面フレーム２００Ａに対して装着される。
後面フレーム２００Ｂを装着する際には、前面フレーム２００Ａに対して支持板２１２の装着時と同様に上方から嵌合させることになるが、後面フレーム２００Ｂの内側に設けてある摺動ガイド部２１３に対して支持板２１２の上縁を差し込みながら前面フレーム２００Ａに対して後面フレーム２００Ｂを被せる。
このとき、摺動ガイド部２１３が支持板２１２を内部に挿入された状態で後面フレーム２００Ｂは摺動することができるので、前面フレーム２００Ａに対する嵌合位置を自動的に設定されることになる。
つまり、前面フレーム２００Ａと後面フレーム２００Ｂとの嵌合部の位置決めが摺動ガイド部２１３とこの内部に位置する支持板２１２とで行えることになり、前面フレーム２００Ａに後面フレーム２００Ｂが被せ終わったときには互いの嵌合部同士の位置が一致されていることになる。
なお、本実施例では、詳細を示さないが、前面フレーム２００Ａは、予め遊技機の前面パネルに固定されるようにしておき、これに対して支持板２１２、後面フレーム２００Ｂをそれぞれ装着するようになっている。
【００４７】
本実施例は以上のように、回動リール装置のケーシングおよびこの内部に収容される支持板２１２がそれぞれ摺動操作により位置決めおよび定置されることになるので、各部分での締結作業を不要にすることができる。
なお、回動リールの駆動あるいは駆動停止時に発生する振動を防止して共振などによる騒音の発生を防止するような場合には、必要最小限の締結部を用いることができる。この場合には、図３において符号２１０Ｂ１，２１１Ｂ１で示すように、前面フレーム２００Ａのガイド部２１０，２１１に有する平面部２１０Ｂ、２１１Ｂに締結部（図中、符号２１０Ｂ１，２１１Ｂ１で示す）を設け、これに対向する支持板２１２のアングル片部２１２Ａにビス挿通穴を設ければよい。
【００４８】
以上のような実施例によれば、各部材同士の結合に対する締結部がほとんど無い状態で組み付け作業が行え、しかも、組み込み際してはガイド部を利用するだけで位置決めも行えるので、締結位置の確認や装着位置の確認作業を不要にして簡易な作業内容で各部材の取り付け作業が可能となる。
しかも、支持板２１２および後面フレーム２００Ｂは前面フレーム２００Ａに対して上方から差し込むことにより組み付けることができる構成であるので、遊技機前面から奥側に向けて差し込む場合と違って、差し込み対象物の全体を視認することができる。
従って、遊技機前面から奥側に向けて差し込む場合のような奥側での装着状態確認を必要としないで、上方から組み付けられリブ分の位置が確認できることになり、これによっても作業の進行を早めることができる。
また、前面フレーム２００Ａを遊技機の前面パネルに固定しておくと、例えば、回動リールの交換を行うような場合に回動リール装置２００の全体を遊技機から取り外すことなく、必要な部分のみの取り外しで済むことになる。
【００４９】
次に、上記実施例の変形例について説明する。
図４に示す構成は、図３に示し構成と同様に、支持板を差し込むことで所定位置に位置決めできる構成および前面、後面の各フレームを嵌合させて一体化する構成を対象としている。
図４において、前面フレーム（便宜上、符号２００Ａ’で示す）および後面フレーム（便宜上、符号２００Ｂ’で示す）は、互いに嵌合できる分割構造体であり、形状としては、四方の外周壁が嵌合可能な弁当箱のように対向する面が開放された箱形状とされている。図４に示す構成では、前面フレーム２００Ａ’に後面フレーム２００Ｂ’を被せる形態が用いられる。
【００５０】
一方、前面フレーム２００Ａ’には、支持板（便宜上、符号２１２’で示す）の取り付け部２２０が設けられている。
取り付け部２２０は、前面フレーム２００Ａ’における開放面の一部を直角に折り曲げた片部で構成されており、その片部の一方側には、片部の折り曲げ部よりも奥側に進行した長さを有するスリット２２０Ａが形成されている。
図４に示す構成においては、前面および後面の各フレーム２００Ａ’、２００Ｂ’が遊技機の前後方向に位置する関係上、スリット２２０Ａの長手方向も遊技機の前後方向に平行させてある。
【００５１】
図４に示した支持板２１２’は、遊技機の前後方向に平行する向きで上記スリット２２０Ａに着脱できる平板部材であり、その上下面中央には前面フレーム２００Ａ’側のスリット２２０Ａに嵌合できる係止片２１２Ａ’が設けられている。
係止片２１２Ａ’は、遊技機の前後方向と直角な方向に折り曲げられた取り付け片２１２Ｂ’を備えており、該取り付け片２１２Ｂ’の中央には前面フレーム２００Ａ’側の取り付け部２２０に設けられたネジ部２２０Ｄと軸心位置を一致させたネジ挿通穴２１２Ｃが設けられている。
【００５２】
本構成においては、回動リール装置２００を組み立てる際には、予め遊技機の前面パネルに固定されている前面フレーム２００Ａ’の取り付け部２２０に有するスリット２２０Ａに対して支持板２１２’の係止片２１２’を差し込むことで前後方向での支持板２１２’の位置決めが行われる。
スリット２２０Ａ内に差し込まれた支持板２１２’は、前後方向に加えて水平方向での位置も規定され、取り付け片２１２Ｂ’が取り付け部２２０と対向した状態で締結されて一体化される。
【００５３】
支持板２１２’が前面フレーム２００Ａ’に支持されている状態で後面フレーム２００Ｂ’が前面フレーム２００Ａ’に被せられ、図示しないが必要最小限の締結により一体化される。
なお、本実施例では、リールユニットとして、抽選結果を表示できるリールを対象とすることに限らず、抽選結果用とは別に演出用に設けたリールを対象とすることも可能である。さらに、本実施例では、スロットマシンを遊技機の対象として挙げたが、本発明では、パチンコ機やゲーム機などを対象とすることも可能である。
【図面の簡単な説明】
【００５４】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられる回動リール装置の組み立て構造を説明するための模式的な斜視図である。
【図４】図３に示した回動リール装置の組み立て構造に関する変形例を説明するための模式的な斜視図である。
【符号の説明】
【００５５】
１００                        スロットマシン
１０２                        筐体
２００                        回動リール装置
２００Ａ                      前面フレーム
２００Ｂ                      後面フレーム
２１０，２１１                ガイド部
２１０Ｃ、２１１Ｃ            スリット
２１２                        支持板
２１２                        アングル片部
２１３                        摺動ガイド部
Ｍ                            駆動モータ
【図１】
2005245630.tif 000003
【図２】
2005245630.tif 000004
【図３】
2005245630.tif 000005
【図４】
2005245630.tif 000006